(57)【要約】【課題】現在のポイント一覧表示機能に加え、過去のデータの表示と指令による絞り込みを可能とする。【解決手段】所定の周期で設備機器から管理ポイント情報を取得する管理ポイント情報取得手段１と、管理ポイント情報取得手段１により取得された管理ポイント情報を、その取得時刻を示す情報とともに記録する管理ポイント情報記録手段２と、管理ポイント情報取得手段１により取得された現在の管理ポイント情報を一覧表示する現状一覧表示手段３と、ユーザにより指定された表示条件を取得する表示条件取得手段（日時取得手段４、指令取得手段５）と、管理ポイント情報記録手段２に記録された管理ポイント情報のうち、表示条件取得手段により取得された表示条件に合致する管理ポイント情報を検索する検索手段６と、検索手段６により検索された管理ポイント情報を一覧表示する検索結果一覧表示手段７とを備えた。【選択図】図１
2014130469.tif 000002
【特許請求の範囲】
【請求項１】
所定の周期で設備機器から管理ポイントの状態情報を取得する管理ポイント情報取得手段と、
前記管理ポイント情報取得手段により取得された状態情報を、その取得時刻を示す情報とともに記録する管理ポイント情報記録手段と、
前記管理ポイント情報取得手段により取得された現在の状態情報を一覧表示する現状一覧表示手段と、
ユーザにより指定された表示条件を取得する表示条件取得手段と、
前記管理ポイント情報記録手段に記録された状態情報のうち、前記表示条件取得手段により取得された表示条件に合致する状態情報を検索する検索手段と、
前記検索手段により検索された状態情報を一覧表示する検索結果一覧表示手段と
を備えた施設管理装置。
【請求項２】
前記表示条件取得手段は、表示条件として日時または／および指令を取得する
ことを特徴とする請求項１記載の施設管理装置。
【請求項３】
所定の周期で設備機器から管理ポイントの状態情報を取得する管理ポイント情報取得ステップと、
前記管理ポイント情報取得ステップにおいて取得した状態情報を、その取得時刻を示す情報とともに記録する管理ポイント情報記録ステップと、
前記管理ポイント情報取得ステップにおいて取得した現在の状態情報を一覧表示する現状一覧表示ステップと、
ユーザにより指定された表示条件を取得する表示条件取得ステップと、
前記管理ポイント情報記録ステップにおいて記録した状態情報のうち、前記表示条件取得ステップにおいて取得した表示条件に合致する状態情報を検索する検索ステップと、
前記検索ステップにおいて検索した状態情報を一覧表示する検索結果一覧表示ステップと
を有する施設管理方法。
【発明の詳細な説明】
【技術分野】
【０００１】
この発明は、設備機器から取得した管理ポイント情報の一覧表示において、過去のデータの表示と指令による絞り込みを行う施設管理装置および施設管理方法に関するものである。
【背景技術】
【０００２】
従来、施設（テナントビルや病院、ホテル、商業施設、学校など）における設備機器（空調や防災、防犯、照明、エレベータなど）の運転状況、温度や流量などの計測データ、入退室履歴、設備の警報データ、制御出力値などは施設管理装置で一括管理している。これらの管理ポイントは、予め、アドレスや名称、単位、表示範囲などが定義されている。そして、定義された項目に従い、通信回線を介して現在の管理ポイントの状態情報（管理ポイント情報）を取得して一覧表示している（例えば特許文献１，２参照）。このポイント一覧には、例えば、設備機器の運転／停止の状態や、室内温度の現在値、流量の現在値などが表示される。
【先行技術文献】
【特許文献】
【０００３】
【特許文献１】特開平１１−３１２１９４号公報
【特許文献２】特開２０１０−２１１４７８号公報
【発明の概要】
【発明が解決しようとする課題】
【０００４】
現状のポイント一覧表示機能では、現在発生している「警報中」「トラブル中」「保守中」「運転中」「停止中」の管理ポイントを一覧で表示することはできる。
しかしながら、停電によって停止した設備機器や、火災によって停止した設備機器、スケジュールで起動した設備機器など、指令（例えば停電や火災など）と状態（例えば運転や停止など）を絡めて一覧表示することはできないという課題がある。
【０００５】
例えば管理ポイントを個別復帰指定している場合は、復電時に１点づつ手動で復帰操作をする必要があるが、どの管理ポイントを復帰操作すればいいのか忘れてしまう場合があり、復電が完了しない（＝停電インジケータがつきっぱなしになる）ことがある。この場合、従来のポイント一覧表示機能では指令による絞り込みができないため、グループリストを開いて全管理ポイントの指令を確認して、停電（ＰＷＦ）停止の管理ポイントを探す必要がある。そのため、復帰操作に時間がかかる。
【０００６】
また、過去に遡り、例えば昨日停電によって停止していた管理ポイントを一覧で表示することもできないという課題がある（停電時は印字抑制しているため、警報の発生や復旧、設備機器の運転や停止など管理ポイントの状態変化があるたびに出力する機能から調べることもできない）。
【０００７】
この発明は、上記のような課題を解決するためになされたもので、現在のポイント一覧表示機能に加え、過去のデータの表示と指令による絞り込みを可能とした施設管理装置および施設管理方法を提供することを目的としている。
【課題を解決するための手段】
【０００８】
この発明に係る施設管理装置は、所定の周期で設備機器から管理ポイントの状態情報を取得する管理ポイント情報取得手段と、管理ポイント情報取得手段により取得された状態情報を、その取得時刻を示す情報とともに記録する管理ポイント情報記録手段と、管理ポイント情報取得手段により取得された現在の状態情報を一覧表示する現状一覧表示手段と、ユーザにより指定された表示条件を取得する表示条件取得手段と、管理ポイント情報記録手段に記録された状態情報のうち、表示条件取得手段により取得された表示条件に合致する状態情報を検索する検索手段と、検索手段により検索された状態情報を一覧表示する検索結果一覧表示手段とを備えたものである。
【０００９】
また、この発明に係る施設管理方法は、所定の周期で設備機器から管理ポイントの状態情報を取得する管理ポイント情報取得ステップと、管理ポイント情報取得ステップにおいて取得した状態情報を、その取得時刻を示す情報とともに記録する管理ポイント情報記録ステップと、管理ポイント情報取得ステップにおいて取得した現在の状態情報を一覧表示する現状一覧表示ステップと、ユーザにより指定された表示条件を取得する表示条件取得ステップと、管理ポイント情報記録ステップにおいて記録した状態情報のうち、表示条件取得ステップにおいて取得した表示条件に合致する状態情報を検索する検索ステップと、検索ステップにおいて検索した状態情報を一覧表示する検索結果一覧表示ステップとを有するものである。
【発明の効果】
【００１０】
この発明によれば、上記のように構成したので、現在のポイント一覧表示機能に加え、過去のデータの表示と指令による絞り込みが可能となる。
【図面の簡単な説明】
【００１１】
【図１】この発明の実施の形態１に係る施設管理装置の構成を示す図である。
【図２】この発明の実施の形態１に係る施設管理装置の動作を示すフローチャートである。
【図３】この発明の実施の形態１に係る施設管理装置によるポイント一覧表示例（停止中のポイント一覧表示）を示す図である。
【発明を実施するための形態】
【００１２】
以下、この発明の実施の形態について図面を参照しながら詳細に説明する。
実施の形態１．
図１はこの発明の実施の形態１に係る施設管理装置の構成を示す図である。
施設管理装置は、図１に示すように、管理ポイント情報取得手段１、管理ポイント情報記録手段２、現状一覧表示手段３、日時取得手段４、指令取得手段５、検索手段６、検索結果一覧表示手段６および操作手段８から構成されている。なお、日時取得手段４および指令取得手段５は本発明の表示条件取得手段に相当する。
【００１３】
管理ポイント情報取得手段１は、予め設定された管理ポイントの定義（アドレスや名称、単位、表示範囲など）に基づいて、所定の周期で該当する設備機器から管理ポイントの状態情報（管理ポイント情報）を取得するものである。
【００１４】
管理ポイント情報記録手段２は、管理ポイント情報取得手段１により取得された管理ポイント情報を、その取得時刻を示す情報とともに記録するものである。
【００１５】
現状一覧表示手段３は、操作手段８を介したユーザ操作により現在の管理ポイント情報の一覧表示が要求された場合に、管理ポイント情報取得手段１により取得された管理ポイント情報のうち、所定の表示項目に該当する管理ポイント情報を抽出し、モニタ（不図示）上に一覧表示するものである。
【００１６】
日時取得手段４は、操作手段８を介したユーザ操作により、一覧表示する管理ポイント情報の表示条件として指定された日時を取得するものである。
指令取得手段５は、操作手段８を介したユーザ操作により、一覧表示する管理ポイント情報の表示条件として指定された指令を取得するものである。指令としては、例えば、停電や火災、スケジュール、ＯＳＳなどが挙げられる。
【００１７】
検索手段６は、日時取得手段４または／指令取得手段５により所定の表示条件（日時や指令）が取得された場合に、管理ポイント情報記録手段２に記録された管理ポイント情報のうち、当該表示条件に合致する管理ポイント情報を検索するものである。
【００１８】
検索結果一覧表示手段７は、検索手段６により検索された管理ポイント情報を、モニタ上に一覧表示するものである。
【００１９】
操作手段８は、ユーザによる操作を受け付けるものであり、例えばマウスやキーボード、タッチパネルなどで構成されるものである。
【００２０】
次に、上記のように構成された施設管理装置の動作について、図２を参照しながら説明する。
施設管理装置では、図２に示すように、管理ポイント情報取得手段１は、予め設定された管理ポイントの定義に基づいて、所定の周期で該当する設備機器から管理ポイント情報を取得する（ステップＳＴ１、管理ポイント情報取得ステップ）。
【００２１】
次いで、管理ポイント情報記録手段２は、管理ポイント情報取得手段１により取得された管理ポイント情報を、その取得時刻を示す情報とともに記録する（ステップＳＴ２、管理ポイント情報記録ステップ）。
【００２２】
そして、操作手段８を介したユーザ操作により現在の管理ポイント情報の一覧表示が要求された場合には、現状一覧表示手段３は、管理ポイント情報取得手段１により取得された管理ポイント情報のうち、所定の表示項目に該当する管理ポイント情報を抽出し、モニタ上に一覧表示する（ステップＳＴ３、現状一覧表示ステップ）。
【００２３】
一方、操作手段８を介したユーザ操作により、一覧表示する管理ポイント情報の表示条件（日時や指令）が指定された場合、日時取得手段４・指令取得手段５にて当該表示条件を取得する（ステップＳＴ４、表示条件取得ステップ）。
【００２４】
ステップＳＴ４において日時取得手段４または／および指令取得手段５により表示条件が取得された場合には、検索手段６は、管理ポイント情報記録手段２に記録された管理ポイント情報のうち、当該表示条件に合致する管理ポイント情報を検索する（ステップＳＴ５、検索ステップ）。
【００２５】
次いで、検索結果一覧表示手段７は、検索手段６により検索された管理ポイント情報を、モニタ上に一覧表示する（ステップＳＴ６、検索結果一覧表示ステップ）。
【００２６】
次に、施設管理装置の動作例について、図３を参照しながら説明する。
例えば停電試験を行った後に停電でどの管理ポイントが停止していたのかを調べたい場合には、停電試験終了後に、モニタ上に停止中一覧画面３０１を開く。そして、図３に示すように、日時指定領域３０２で停電試験を行った日時（図３の例では「２０１２／８／２０  １５：３０」）を指定し、指令指定領域３０３で「停電（ＰＷＦ）」を指定する。これにより、停電試験時に停電で停止していた管理ポイントの一覧画面３０４が表示される。
【００２７】
また、例えば復電時に管理ポイントを手動で復帰操作する必要がある場合には、モニタ上に停止中一覧画面３０１を開く。そして、日時指定領域３０２で「現在」を指定し、指令指定領域３０３で「停電（ＰＷＦ）」を指定する。これにより、現在停止している設備機器のうち、停電で停止している管理ポイントの一覧画面が表示される。よって、復帰操作をする必要のある管理ポイントを容易に探すことができ、検索時間を短縮することができる。
【００２８】
なお、図３に示す例では、表示条件指定領域（日時指定領域３２、指令指定領域３３）での表示条件の指定方法として、項目を予め登録しておき、プルダウンで表示条件を指定する場合について示した。しかしながら、これに限るものではなく、直接表示条件を入力するようにしてもよい。
【００２９】
以上のように、この実施の形態１によれば、所望の表示条件を指定し、当該表示条件に合致する管理ポイント情報を一覧表示するように構成したので、現在のポイント一覧表示機能に加え、過去のデータの表示と指令による絞り込みが可能となる。その結果、管理ポイントが数万点〜数百万点もある大規模な施設であっても、容易に所望の管理ポイント情報を検索することができるようになり、管理業務を効率よく行うことができるようになる。
【００３０】
なお上記では、指令を指定して管理ポイント情報の絞り込みを行う場合について示した。それに対し、表示条件として、全ての管理ポイント情報を表示する「全管理ポイント」を追加するようにしてもよい。これにより、停止中や運転中といった状態に関わらず、特定日時にスケジュールで起動／停止していた設備機器を一覧で確認することもできるようになる。
【００３１】
また上記では、指令を利用した一覧表示を示した。しかしながら、これに限るものではなく、例えばユーザ管理とも絡めることで、ユーザ単位での一覧表示へも発展可能である。これにより、例えばユーザＡが操作した設備機器を一覧表示することも可能となる。
【００３２】
なお、本願発明はその発明の範囲内において、実施の形態の任意の構成要素の変形、もしくは実施の形態の任意の構成要素の省略が可能である。
【符号の説明】
【００３３】
１  管理ポイント情報取得手段
２  管理ポイント情報記録手段
３  現状一覧表示手段
４  日時取得手段
５  指令取得手段
６  検索手段
７  検索結果一覧表示手段
８  操作手段
【図１】
2014130469.tif 000003
【図２】
2014130469.tif 000004
【図３】
2014130469.tif 000005